(57)【要約】      （修正有）【課題】使用時である少なくとも常温において、素材自体が柔軟で変形自在ではあるものの、自由な形状に変形可能で当該形状を一定に保持することができるデザイン自在なイヤホンコード、および、これを用いたステレオヘッドホンを提供する。【解決手段】デザイン自在なイヤホンコード１０Ｒ，１０Ｌは、導電線と、導電線と非接触に、導電線の長手方向に平行に配した可撓性形状保持線と、導電線と可撓性形状保持線とを被覆する絶縁材と、から構成される。少なくとも常温において変形自在で、自由な形状Ａ，Ｂを保持することができる。【選択図】図１
0003190992.tif 000002
【実用新案登録請求の範囲】
【請求項１】
導電線と、
前記導電線と非接触に、該導電線の長手方向に平行に配した可撓性形状保持線と、
前記導電線と前記可撓性形状保持線とを被覆する絶縁材と、
から構成されるイヤホンコードであって、
少なくとも常温において変形自在で、自由な形状を保持することができるデザイン自在なイヤホンコード。
【請求項２】
前記可撓性形状保持線は、一定温度で原状に回復する形状記憶特性を有する、請求項１に記載のデザイン自在なイヤホンコード。
【請求項３】
導電線と、
前記導電線と非接触に、該導電線の長手方向に平行に配した可撓性形状保持線及び形状記憶合金線と、
前記導電線と前記可撓性形状保持線及び前記形状記憶合金線とを被覆する絶縁材と、
から構成されるイヤホンコードであって、
少なくとも常温において変形自在で自由な形状を保持することができ、一定温度で原状に回復する、デザイン自在なイヤホンコード。
【請求項４】
分岐端とプラグに接続する接続端とを有するプラグコードと、該分岐端から該プラグコードが分岐され、先端にそれぞれ左右のイヤホンを接続する左右一対のイヤホンコードと、を有するステレオヘッドホンであって、
前記イヤホンコードに請求項１乃至３のいずれかに記載のデザイン自在なイヤホンコードを用いたステレオヘッドホン。
【考案の詳細な説明】
【技術分野】
【０００１】
本考案は、デザイン自在なイヤホンコードおよびこれを用いたステレオヘッドホンに関する。
【背景技術】
【０００２】
従来、イヤホンやヘッドホンに使用されるコードは、２本の導電線が非接触状態で絶縁体により被覆された単純な構造となっている。左右の耳により音を立体的に聞くことのできるステレオヘッドホンであれば、通常、１本のプラグコードが左右一対のイヤホンコードに分岐された構成を取る。すなわち図３に示すように、ステレオヘッドホン１０００は、分岐端１２０とプラグに接続する接続端１１０とを有するプラグコード１００と、分岐端１２０からプラグコード１００が分岐され、先端にそれぞれ左右のイヤホン２００を接続する左右一対のイヤホンコード１０１０と、を有する
【０００３】
しかし、ステレオヘッドホン１０００の分岐する左右のイヤホンコード１０１０は細く、先端に相対的に重いイヤホン２００をつけているため、ポケットやカバンなどに入れて持ち運ぶと、左右のイヤホンコード１０１０およびプラグコード１００が複雑に絡み合って解くのが容易でないという問題があった。
【０００４】
この問題を解決するために多数の考案が成されて来たが、いずれも長短所が並在し、一般的に用いられるに至っていない。
【０００５】
例えば、特許文献１には、「イヤホンコードを収納可能な切れ目が入れられた屈曲可能な蛇腹状筒体と、前記蛇腹状筒体の長手方向に沿って配設された可撓性金属線と、前記蛇腹状筒体および前記可撓性金属線を被覆し、イヤホンコードを収納可能な切れ目が入れられたスポンジ状筒体とからなることを特徴とするイヤホン用アクセサリ」、あるいは、「イヤホンコードを収納可能な切れ目が入れられたスポンジ状筒体と、前記スポンジ状筒体の内壁面ないしは内壁内に長手方向に沿って配設された可撓性金属線とからなることを特徴とするイヤホン用アクセサリ」が開示されている。
【０００６】
上記後者の発明によれば、イヤホンコードを切れ目からスポンジ状筒体内に収納するようにイヤホン用アクセサリをイヤホンコードに取り付けるようにしたことにより、イヤホンコードの絡み合いを未然に防止することができる。また、可撓性金属線によってスポンジ状筒体を任意の位置で屈曲した状態で保持できるため、イヤホン用アクセサリを視聴者の顔に沿って邪魔にならないように配置することができる。
【０００７】
しかし、運搬時にイヤホン用アクセサリをイヤホンコードに取り付けると、体積が嵩張って、コンパクトにイヤホンコードをポケット等に収容するのが難しくなる。
【０００８】
また、特許文献２には、「一端にプラグを設け、他端にレシーバを設けたイヤホン用コードにおいて、コードの内部に形状記憶合金線を埋設したことを特徴とする形状記憶合金線入りコード」が開示されている。コードの内部に埋設された形状記憶合金線は、設定された温度になると元の形に復帰する性質があるので、常温に設定しておけばコードをどのように折り曲げてポケット等に収納しても、取り出すと自然に緩やかに元の形状に復帰して、コードが絡むことはない。例えば、形状記憶合金線をコードの内部の導電線に平行して設けておけば、コードをどのように折り曲げても設定温度に暖めると元の形状に復帰し、絡んだり縺れたりすることはない。
【０００９】
しかし、形状記憶合金線は細く、一旦曲げると元の形状に復帰するのに時間がかかることが特許文献２に記載され、この問題を解決するために「形状記憶合金線が複数本である」形状記憶合金線入りコードが提案されている。この場合、形状の復帰も早く、安定したものとなることが期待されるが、コードの構造が複雑化することは避けられない。また、ポケットやカバン内の収納時の温度と使用時の温度に大差ないため、この温度差間で劇的な形状変化をもたらす素材設計も困難と思われる。
【００１０】
【特許文献１】特開平９−３３０６１９号公報
【特許文献２】特開２００９−１９４７９０号公報
【考案の概要】
【考案が解決しようとする課題】
【００１１】
上記発明は、いずれも使用時におけるイヤホンコードの柔軟で変形自在な性質は変えないで、ポケットやカバン等に入れて運搬する際にイヤホンコードの絡み合いや縺れ合いを防止し、またはこれらの状態から回復させようとするものである。
【００１２】
そこで本考案は、使用時である少なくとも常温において、素材自体が柔軟で変形自在ではあるものの、自由な形状に変形可能で当該形状を一定に保持することができるイヤホンコード、および、これを用いたステレオヘッドホンコードを提供することを目的とする。
【課題を解決するための手段】
【００１３】
本考案に係るデザイン自在なイヤホンコードは、導電線と、前記導電線と非接触に、該導電線の長手方向に平行に配した可撓性形状保持線と、前記導電線と前記可撓性形状保持線とを被覆する絶縁材と、から構成されるイヤホンコードであって、少なくとも常温において変形自在で、自由な形状を保持することができる。
【００１４】
本考案に係るデザイン自在なイヤホンコードにおいて、前記可撓性形状保持線は、一定温度で原状に回復する形状記憶特性を有し得る。
【００１５】
本考案に係るデザイン自在なイヤホンコードは、導電線と、前記導電線と非接触に、該導電線の長手方向に平行に配した可撓性形状保持線及び形状記憶合金線と、前記導電線と前記可撓性形状保持線及び前記形状記憶合金線とを被覆する絶縁材と、から構成されるイヤホンコードであって、少なくとも常温において変形自在で自由な形状を保持することができ、一定温度で原状に回復する、デザイン自在なイヤホンコード。
【００１６】
本考案に係るデザイン自在なイヤホンコードを用いたステレオヘッドホンは、分岐端とプラグに接続する接続端とを有するプラグコードと、該分岐端から該プラグコードが分岐され、先端にそれぞれ左右のイヤホンを接続する左右一対の上記イヤホンコードと、を有する。
【考案の効果】
【００１７】
本考案に係るデザイン自在なイヤホンコードは、導電線の長手方向に平行に可撓性形状保持線を内包したので、使用時である少なくとも常温において変形自在かつ自由な形状を保持することができる。
【００１８】
また、このイヤホンコードは曲げ伸ばし自在であるため、運搬時にはイヤホンコード同士が絡み合わないようにコンパクトに折り畳んでポケット等に収納可能であり、使用の際にはこれを引き伸ばして使用することができる。さらに、本考案のイヤホンコードは可撓性形状保持線を内包したので、好みの形状にイヤホンコードをデザインすることもできる。
【００１９】
したがって、本考案のイヤホンコードは、見栄えの良いファッショナブルな形状に変形できると共に、コードが顔に触れないように変形することができ、特に夏場の暑い時期に汗をかいてコードの引っ付きが気になるような場合に、この不快感を防止することができる。
【００２０】
本考案に係るデザイン自在なイヤホンコードは、可撓性形状保持線または形状記憶合金線を、一定温度で所定の形状に復帰する形状記憶特性を有する材料で構成することにより、例えば購入時の一直線状の原状に回復させることができる。
【図面の簡単な説明】
【００２１】
【図１】本考案に係るデザイン自在なイヤホンコードの斜視図。
【図２】（ａ）本考案に係るデザイン自在なイヤホンコードの断面図。（ｂ）本考案に係る他の実施形態のデザイン自在なイヤホンコードの断面図。
【図３】ヘッドホンコードの斜視図。
【考案を実施するための形態】
【００２２】
以下、図面を参照しながら本考案に係るデザイン自在なイヤホンコードの実施形態について説明する。なお、以下各図面を通して同一の構成要素には同一の符号を使用するものとする。
【００２３】
図１に示すステレオヘッドホンコード１は、分岐端１２０とプラグに接続する接続端１１０とを有するプラグコード１００と、分岐端１２０からプラグコード１００が分岐され、先端にそれぞれ左右のイヤホン２００Ｒ、２００Ｌ（以下、まとめて「イヤホン２００」ともいう）を接続する左右一対のイヤホンコード１０Ｒ、１０Ｌと、を有する。
【００２４】
上記イヤホンコード１０Ｒ、１０Ｌ（以下、まとめて「イヤホンコード１０」ともいう）は、図２（ａ）のように、導電線２２と、導電線２２と非接触に、導電線２２の長手方向に平行に配した可撓性形状保持線１２と、導電線２２と可撓性形状保持線１２とを被覆する絶縁材２４と、から構成されるイヤホンコード１０であって、少なくとも常温において変形自在で、自由な形状を保持することができる。
【００２５】
すなわち、本考案に係るデザイン自在なイヤホンコード１０は、導電線２２の長手方向に平行に可撓性形状保持線１２を内包したので、使用時・運搬時の略常温において変形自在で、かつその変形した形状を保持することができる（図１中、Ａ、Ｂ参照）。
【００２６】
なお、イヤホンコード１０Ｒ、１０Ｌとプラグコード１００とは、分岐端１２０において電気的に接続される。イヤホンコード１０Ｒ、１０Ｌとプラグコード１００は、分岐端１２０において分離可能に、ソケットやプラグなどを用いて差し込み形式で接続されてもよい。
【００２７】
可撓性形状保持線１２は、一定温度で原状に回復する形状記憶特性を有するのが望ましい。例えばヘアドライヤーや蒸気等で、５０、６０℃〜１００℃程度の高温に晒すと、例えば直線状の元の状態に回復すると便利である。この現状から再度お好みの形状にイヤホンコード１０をデザインすることができる。あるいは、可撓性形状保持線１２は、可撓性形状保持線に形状記憶合金を積層した同軸状の２層構造の可撓性形状保持・記憶線としてもよい。
【００２８】
ステレオヘッドホンコード１は、イヤホンコード１０とプラグコード１００以外の要素、すなわち、接続端１１０、イヤホン２００等は、従来のステレオヘッドホンコード１０００（図３）と同様であってよい。あるいは、プラグコード１００は、従来のように導電線２２とこれを被覆する絶縁材２４とから構成され、可撓性形状保持線１２が含まれない構造であってもよい。
【００２９】
イヤホンコード１０を構成する導電線２２、絶縁材２４はそれぞれ公知の銅線、ビニール等で形成されてよい。可撓性形状保持線１２はNiTi合金のような公知の形状記憶合金を用いることも可能である。イヤホンコード１０を使用、運搬する際の略常温では可撓性形状保持線１２は可撓性および形状保持性を持ち、ヘアドライヤーや蒸気等で加熱した際は原状に回復するように、形状記憶合金の形状記憶特性を選択する。
【００３０】
あるいは、上記形状記憶特性を省略するのであれば、可撓性形状保持線１２は安価なアルミニウムなどで構成してもよい。この場合、イヤホンコード１０を何度も変形するうちにイヤホンコード１０の形状に凸凹が生じ、奇麗な形状に変形するのは難しくなるが、材料が安価であるのでイヤホンコード１０自体を交換すればよい。
【００３１】
このように可撓性形状保持線１２に形状記憶特性を持たせない場合、本考案の別の実施形態として、イヤホンコード１０は可撓性形状保持線１２と長手方向に平行に配した形状記憶合金線１４を配置してもよい。この場合、図２（ｂ）のように、イヤホンコード１０は導電線２２と、導電線２２と非接触に、導電線２２の長手方向に平行に配した可撓性形状保持線１２及び形状記憶合金線１４と、導電線２２と可撓性形状保持線１２及び形状記憶合金線１４とを被覆する絶縁材２４と、から構成される。可撓性形状保持線１２及び形状記憶合金線１４は電気伝導に寄与しないので特に非接触である必要はなく、両者を同軸状の２層構造の可撓性形状保持・記憶線としてもよい。
【００３２】
本実施形態においては、形状記憶合金線１４は常温において可撓性を有し、形状保持までは要求されず、ヘアドライヤーや蒸気等に晒された高温において形状記憶性が発揮されて原状に回復すればよい。可撓性形状保持線１２は形状記憶特性を持つ必要はないので、この高温時において十分柔らかく、上記形状記憶合金線１４の変形に追随するものとする。
【００３３】
以上のように、イヤホンコード１０は上記のように曲げ伸ばし自在であるため、特に運搬時にはイヤホンコード１０同士が絡み合わないようにコンパクトに折り畳んだ形状を保持したままポケット等に収納可能であり、使用の際にはこれを引き伸ばして使用することができる。さらに、本考案のイヤホンコードは可撓性形状保持線１２を内包したので、好みの形状にイヤホンコードをデザインすることもできる。
【００３４】
すなわち、本考案のイヤホンコードは、見栄えの良いファッショナブルな形状に変形できると共に、コードが顔に触れないように変形することができ、特に夏場の暑い時期に汗をかいてコードの引っ付きが気になるような場合に、この不快感を防止することができる。
【００３５】
本考案に係るデザイン自在なイヤホンコードは、可撓性形状保持線１２を、一定温度で所定の形状に復帰する形状記憶特性を有する材料で構成することにより、例えば購入時の一直線状の原状に回復させることができる。あるいは、可撓性形状保持線１２と平行に配した形状記憶合金線１４により、イヤホンコードを所定の温度に熱して原状回復させてもよい。
【００３６】
以上、本考案に係るデザイン自在なイヤホンコードおよびこれを用いたステレオヘッドホンについて説明したが、イヤホンコードを形成する可撓性形状保持線、導電線と、これを被覆する絶縁材の材料は、当該イヤホンコードが常温において最小限、可撓性と形状保持機能を有する材料であればよい。さらに、本考案のイヤホンコードは、上述のような形状記憶機能を有することが望ましいが、上記材料に限定されるものではない。また、形状記憶合金線の材料も特に限定されない。
【００３７】
また、本考案に係るイヤホンコードおよびこれを用いたステレオヘッドホンの構造は、上述の例に限定されるものではなく、イヤホンコードを変形して形成する形状も任意に選択することができる。
【００３８】
その他、本考案は、その主旨を逸脱しない範囲で当業者の知識に基づき種々の改良、修正、変更を加えた態様で実施できるものである。
【産業上の利用可能性】
【００３９】
本考案に係るデザイン自在なイヤホンコードは、絡まりやすい電導コードを有する全ての電気機器に利用することが出来る。
【符号の説明】
【００４０】
１、１０００：ステレオヘッドホン
１０、１０１０：イヤホンコード
１２：可撓性形状保持線
１４：形状記憶合金線
２２：導電線
２４：絶縁材
１００：プラグコード
１１０：接続端
１２０：分岐端
２００：イヤホン
５００：人
【図１】
0003190992.tif 000003
【図２】
0003190992.tif 000004
【図３】
0003190992.tif 000005